(57)【要約】【課題】比較的手間をかけずに係止具を成形型の所定位置に安定的にセットできる係止具セット治具と、その治具を用いた発泡成形品の製造方法を提供する。【解決手段】発泡成形品を成形する成形型に係止具（クリップ１５）をセットするための係止具セット治具２０である。この係止具セット治具２０は、概ね水平方向（ＸＹ方向）に展開すると共に垂直方向（Ｚ方向）で見て上面側及び下面側を有してなる本体部２１と、その本体部の上面側又は下面側に設置された複数の係止具保持単位３０とを備える。係止具保持単位３０の各々は、固定部４０と、係止具を保持可能な保持部５０とを有する。前記保持部５０は、係止具が前記本体部２１に対して少なくとも略垂直方向に変位可能に保持されるように構成されている。【選択図】図６
2020116895.tif 000002
【特許請求の範囲】
【請求項１】
発泡成形品を成形する成形型に係止具をセットするための係止具セット治具であって、
概ね水平方向（ＸＹ方向）に展開すると共に、垂直方向（Ｚ方向）で見て上面側及び下面側を有してなる本体部と、
前記本体部の上面側又は下面側に設置された複数の係止具保持単位と、を備え、
前記係止具保持単位の各々は、係止具を保持可能な保持部を有し、
前記保持部は、係止具が前記本体部に対して少なくとも略垂直方向に変位可能に保持されるように構成されている、ことを特徴とする係止具セット治具。
【請求項２】
前記係止具保持単位の保持部には、前記係止具を載置可能な弾性体が設けられており、前記係止具は、前記弾性体を介して前記保持部上に保持される、ことを特徴とする請求項１に記載の係止具セット治具。
【請求項３】
前記係止具保持単位は更に、当該係止具セット治具の前記本体部に固定される固定部を有し、この固定部に対し前記保持部が、略垂直方向のみならず水平方向（ＸＹ方向）へも変位可能に連結されている、ことを特徴とする請求項１又は２に記載の係止具セット治具。
【請求項４】
前記固定部と前記保持部とは、これら両部の間に配設されたコイルバネを介して連結されている、ことを特徴とする請求項３に記載の係止具セット治具。
【請求項５】
当該係止具セット治具の前記本体部には、位置決めガイド機構が設けられている、ことを特徴とする請求項１〜４のいずれか一項に記載の係止具セット治具。
【請求項６】
当該係止具セット治具の前記本体部には、前記複数の係止具保持単位が設置されている上面側又は下面側とは反対側において取っ手が設けられている、ことを特徴とする請求項１〜５のいずれか一項に記載の係止具セット治具。
【請求項７】
当該係止具セット治具の前記本体部は、複数の骨格材を相互連結してなる枠形状のフレームとして構成されている、ことを特徴とする請求項１〜６のいずれか一項に記載の係止具セット治具。
【請求項８】
請求項１に記載の係止具セット治具を用いて、係止具を具備した発泡成形品を製造する方法であって、当該方法は、
係止具が係合可能な被係止部を所定位置に有してなる成形型を用意する工程と、
前記係止具セット治具に係止具を保持させる工程と、
前記成形型に前記係止具セット治具を押し付けて、前記被係止部に前記係止具をセットする工程と、
前記係止具の前記被係止部へのセット完了後、前記成形型から前記係止具セット治具を取り除く工程と、
前記係止具セット治具を取り除いた後に前記成形型に発泡性原料を注入し、前記係止具を一体的に具備してなる発泡成形品を成形する工程と、
を有することを特徴とする発泡成形品の製造方法。
【請求項９】
作業ロボットによって係止具セット治具に係止具を保持させる、ことを特徴とする請求項８に記載の発泡成形品の製造方法。
【発明の詳細な説明】
【技術分野】
【０００１】
本発明は、発泡成形品を成形する成形型に係止具をセットするための係止具セット治具と、その係止具セット治具を用いて、係止具を具備した発泡成形品を製造する方法とに関するものである。
【背景技術】
【０００２】
例えば車両用シートや居室用ソファー等のパッドとして用いられる発泡樹脂成形品（例えばポリウレタンフォーム製品）には、表皮材等を後付け又は外付けするための係止具としてのクリップを予め発泡樹脂成形時に埋設するものが知られている。特許文献１（特開２０１６−１０９３９号公報）には、そのようなクリップ埋設タイプの発泡樹脂成形品の製造方法が開示されている。
【０００３】
特許文献１は、成形型（１６）にクリップ（１２）を設置するための治具であるクリップ設置用治具（１０）を開示する。このクリップ設置用治具は、具体的には金属製のワイヤであり、四角形の枠状（１０−１）や直線状（１０−２）の治具として提供される（同文献の段落００２６、図１参照）。この治具のワイヤ部分に対してクリップを仮止めした後、各クリップが成形型（１６）の所定位置（凹部１６ｂ）に位置するように治具を成形型に設置する。そして、治具ごとクリップを成形型上に残したまま成形型に発泡樹脂を注入して発泡樹脂成形を行い、発泡樹脂成形品を脱型後にクリップ設置用治具のみを取り除くことでクリップ埋設タイプの発泡樹脂成形品を得ている。
【先行技術文献】
【特許文献】
【０００４】
【特許文献１】特開２０１６−１０９３９号公報
【発明の概要】
【発明が解決しようとする課題】
【０００５】
しかしながら、特許文献１のクリップ設置用治具はその全体が剛直な金属製ワイヤで構成されているため、そのワイヤ部分にクリップを仮止めする場合でも、各クリップを正しい位置に仮止めできないことがある。また、クリップを仮止めした治具を成形型に設置するときに、成形型に対して治具が正規の設置姿勢から若干傾いた姿勢となりがちである。そのような状態のまま発泡樹脂成形を行うと、クリップが位置ずれしたり傾いたりしたままの状態で発泡樹脂成形品に埋め込まれ、クリップの取付け精度が低い発泡樹脂成形品になってしまう。それ故、発泡樹脂成形の前に各クリップを成形型の所定位置（凹部１６ｂ）に正確に配置するためには、治具のワイヤ部分に対する各クリップの位置決めを正確に行うのみならず、成形型に設置したときの治具の傾いた姿勢を注意深く是正する必要があり、細かな調整のための手間を要するものであった。
【０００６】
本発明の目的は、比較的手間をかけずに係止具を成形型の所定位置に安定的にセットすることができる係止具セット治具を提供することにある。また、かかる係止具セット治具を用いて、係止具を具備した発泡成形品を製造する方法を提供することにある。
【課題を解決するための手段】
【０００７】
請求項１の発明は、発泡成形品を成形する成形型に係止具をセットするための係止具セット治具であって、
概ね水平方向（ＸＹ方向）に展開すると共に、垂直方向（Ｚ方向）で見て上面側及び下面側を有してなる本体部と、
前記本体部の上面側又は下面側に設置された複数の係止具保持単位と、を備え、
前記係止具保持単位の各々は、係止具を保持可能な保持部を有し、
前記保持部は、係止具が前記本体部に対して少なくとも略垂直方向に変位可能に保持されるように構成されている、ことを特徴とする係止具セット治具である。
【０００８】
本発明によれば次のような効果を奏する。即ち、この係止具セット治具を使用すれば、当該治具を成形型に押し付けることで成形型に一度に複数の係止具をセットすることができる。また、係止具セット治具の使用に際し、作業者（使用者）によって当該治具を成形型に押し付ける力にばらつきがあったり、当該治具が成形型に対して、理想の対向配置状態からやや斜めに傾いた状態で押し付けられたりすることがある。このような非理想的な使用状況にあっても、各係止具保持単位の保持部は、係止具が係止具セット治具の本体部に対して略垂直方向に変位可能に保持されるように構成されているため、押し付け力のばらつきや成形型に対する治具の傾きを吸収または緩和して、各係止具を成形型の所定位置に安定的にセットすることができる。
【０００９】
請求項２の発明は、請求項１に記載の係止具セット治具において、前記係止具保持単位の保持部には、前記係止具を載置可能な弾性体が設けられており、前記係止具は、前記弾性体を介して前記保持部上に保持される、ことを特徴とする。
【００１０】
請求項２の発明によれば、請求項１の発明の効果に加えて更に次のような効果を奏する。即ち、各係止具保持単位の保持部に設けられた弾性体の作用により、弾性体に載置された各係止具は、係止具セット治具の本体部に対して略垂直方向に変位可能な状態となる。
【００１１】
請求項３の発明は、請求項１又は２に記載の係止具セット治具において、前記係止具保持単位は更に、当該係止具セット治具の前記本体部に固定される固定部を有し、この固定部に対し前記保持部が、略垂直方向のみならず水平方向（ＸＹ方向）へも変位可能に連結されている、ことを特徴とする。
【００１２】
請求項３の発明によれば、請求項１又は２の発明の効果に加えて更に次のような効果を奏する。即ち、各係止具保持単位の保持部が、略垂直方向のみならず水平方向（ＸＹ方向）へも変位可能であることで、当該治具が成形型に対して理想の対向配置状態から水平方向（ＸＹ方向）に若干の位置ずれを生じていても、その位置ずれを吸収または緩和して、各係止具を成形型の所定位置に安定的にセットすることができる。
【００１３】
請求項４の発明は、請求項３に記載の係止具セット治具において、前記固定部と前記保持部とは、これら両部の間に配設されたコイルバネを介して連結されている、ことを特徴とする。
【００１４】
請求項４の発明によれば、請求項３の発明の効果に加えて更に次のような効果を奏する。即ち、各係止具保持単位の固定部と保持部とをこれらの間に配設されたコイルバネを介して連結することで、固定部に対する保持部の略垂直方向への変位可能性および水平方向（ＸＹ方向）への変位可能性を確保することができる。
【００１５】
請求項５の発明は、請求項１〜４のいずれか一項に記載の係止具セット治具において、当該係止具セット治具の前記本体部には、位置決めガイド機構が設けられている、ことを特徴とする。
【００１６】
請求項５の発明によれば、請求項１〜４の発明の効果に加えて更に次のような効果を奏する。即ち、位置決めガイド機構を用いて、係止具セット治具を成形型に対して大まかに位置決めすることができる。
【００１７】
請求項６の発明は、請求項１〜５のいずれか一項に記載の係止具セット治具において、当該係止具セット治具の前記本体部には、前記複数の係止具保持単位が設置されている上面側又は下面側とは反対側において取っ手が設けられている、ことを特徴とする。
【００１８】
請求項６の発明によれば、請求項１〜５の発明の効果に加えて更に次のような効果を奏する。即ち、係止具セット治具の本体部に設けられた取っ手を握ることで、作業者（使用者）は、当該治具を容易に持ち運ぶことができると共に、自在に操作することが可能になる。
【００１９】
請求項７の発明は、請求項１〜６のいずれか一項に記載の係止具セット治具において、当該係止具セット治具の前記本体部は、複数の骨格材を相互連結してなる枠形状のフレームとして構成されている、ことを特徴とする。
【００２０】
請求項７の発明によれば、請求項１〜６の発明の効果に加えて更に次のような効果を奏する。即ち、係止具セット治具の本体部は複数の骨格材を相互連結してなる枠形状のフレームとして構成されているため、当該本体部によって作業者（使用者）の視界が遮られることがない。つまり、作業者は本体部の上面側又は下面側からその反対側を透かし見ることができ（目視可能）、成形型に対する治具の位置合わせを比較的容易に行うことができる。
【００２１】
請求項８の発明は、請求項１に記載の係止具セット治具を用いて、係止具を具備した発泡成形品を製造する方法であって、当該方法は、
係止具が係合可能な被係止部を所定位置に有してなる成形型を用意する工程と、
前記係止具セット治具に係止具を保持させる工程と、
前記成形型に前記係止具セット治具を押し付けて、前記被係止部に前記係止具をセットする工程と、
前記係止具の前記被係止部へのセット完了後、前記成形型から前記係止具セット治具を取り除く工程と、
前記係止具セット治具を取り除いた後に前記成形型に発泡性原料を注入し、前記係止具を一体的に具備してなる発泡成形品を成形する工程と、
を有することを特徴とする発泡成形品の製造方法である。
【００２２】
請求項８の発明によれば、係止具を一体的に具備してなる発泡成形品を効率的に製造することができる。特に、請求項１に記載の係止具セット治具を用いるため、係止具を、成形型の所定位置に設けられた被係止部に対し安定的且つ効率的にセットすることができる。また、成形型から係止具セット治具を取り除いた後に成形型に発泡性原料を注入するという手順を採るため、係止具セット治具に発泡性原料が付着することがなく、治具を掃除する手間を省くことができる。
【００２３】
請求項９の発明は、請求項８に記載の発泡成形品の製造方法において、作業ロボットによって係止具セット治具に係止具を保持させることを特徴とする。
【００２４】
請求項９の発明によれば、請求項８の発明の効果に加えて、作業ロボットの採用により、係止具セット治具に係止具を保持させる工程の迅速化及び効率化を図ることができる。
【発明の効果】
【００２５】
本発明の係止具セット治具によれば、比較的手間をかけずに係止具を成形型の所定位置に安定的にセットすることができる。また、本発明の発泡成形品の製造方法によれば、本発明の係止具セット治具を用いることで、係止具を具備した発泡成形品を効率的に製造することができる。
【図面の簡単な説明】
【００２６】
【図１】発泡成形品の成形型（下型）を上から見た平面図。
【図２】図１に示す成形型のフランジ部の一部拡大斜視図。
【図３】図１に示す成形型（クリップ装着後の下型）の平面図。
【図４】係止具としてのクリップを示し、（ａ）は上面側の斜視図、（ｂ）は下面側の斜視図、（ｃ）はクリップ装着時の概略断面図。
【図５】係止具セット治具を上面側から見た全体斜視図。
【図６】係止具セット治具を下面側から見た全体斜視図。
【図７】係止具セット治具を下面側から見た底面図。
【図８】係止具セット治具が具備する位置決めガイド機構の一部を示す斜視図。
【図９】係止具保持単位を示し、（ａ）は斜視図、（ｂ）はクリップ保持時の斜視図。
【図１０】係止具保持単位の分解斜視図。
【図１１】係止具保持単位の固定部の一例を示し、（ａ）は平面図、（ｂ）は正面図（ｃ）は底面図。
【図１２】係止具保持単位の保持部の一例を示し、（ａ）は平面図、（ｂ）は正面図（ｃ）は底面図。
【図１３】図９（ｂ）のＡ−Ａ線における係止具保持単位の概略断面図。
【図１４】係止具セット治具を用いたクリップ取付け手順の概略説明図。
【図１５】係止具セット治具を用いたクリップ取付け手順の概略説明図。
【図１６】係止具セット治具を用いたクリップ取付け手順の概略説明図。
【発明を実施するための形態】
【００２７】
以下、本発明の実施形態について図面を参照しつつ説明する。
なお、本明細書において説明の便宜上、「水平方向」及び「垂直方向」との語を用いるが、これらの方向は、添付の図面に即して発明の理解を容易にするための便宜的な表現に過ぎず、絶対的な意味での方向（即ち地面を基準とした方向）を指すものではない。つまり物理空間を規定する三次元直交座標系（Ｘ，Ｙ，Ｚの三軸からなる）を想定した上で、Ｘ軸及びＹ軸によって規定されるＸＹ平面が延びる任意の方向を指して「水平方向」と呼び、Ｚ軸に沿った方向を指して「垂直方向」と呼ぶものである。従って、「水平方向」とは、垂直方向（Ｚ方向）に直交する任意の方向を意味し、「垂直方向」とは、水平方向（ＸＹ方向）に直交する方向を意味する。水平方向（ＸＹ方向）及び垂直方向（Ｚ方向）の語は、相手方方向との直交関係によって相互依存的に規定される相対的な方向関係を意味するものである。
【００２８】
［発泡成形品の成形型とクリップ］
図１〜３は、発泡成形品の成形用金型の一構成要素である下型１０（以下、単に「成形型」という）を示す。この成形型１０は例えば、車両用シートのウレタンフォーム製クッションパッドの製造を意図したものである。この成形型１０には、クッションパッドに溝を形成するための突条部１１（以下「フランジ」と呼ぶ）が突設されている。また、そのフランジ１１の複数箇所には被係止部１２が予め固定されている。この被係止部１２は、係止具としてのクリップ１５を係止させるための部位又は部材である。被係止部１２の両側面には、クリップ１５の一部を係合させるための係合凹部１３が設けられている（図２，図４（ｃ）参照）。被係止部１２は、成形型１０とは異なる金属からなる（例えば成形型がアルミ、被係止部がステンレス鋼）。なお、図１はクリップ装着前の成形型１０を示し、図３はそれぞれの被係止部１２にクリップ１５を装着した後の成形型１０を示す。
【００２９】
図４は、係止具としてのクリップ１５の一典型例を示す。図４（ａ）及び（ｂ）に示すように、クリップ１５は、合成樹脂製の板状小片として構成されている。クリップ１５は概ね板状の基部１６を備え、その上面側は概ね平らに形成されている。クリップ１５はまた、基部１６の下面側に突設された合計４つの係止脚１７を備えている。これら４つの係止脚１７にあっては、２つの係止脚１７が相対向して一対をなしており、基部１６の下面側には、かかる一対の係止脚１７が二組存在している。各組の相対向する係止脚１７は互いに接近離間する方向に弾性変位可能であり、両係止脚１７の間に対象物（本例では被係止部１２の一部）を挟着可能となっている。図４（ｃ）に示すように、クリップ１５を成形型の被係止部１２に装着するとき、各組の対向する係止脚１７の先端部が、それぞれ対応する被係止部１２の係合凹部１３に係合することで、被係止部１２に対するクリップ１５の装着が完了する。なお、図４（ａ）及び（ｂ）に示すように、クリップの基部１６には、その基部１６を上下方向（厚さ方向）に貫通する２つの穴１８が形成されている。そして、これら二つの穴１８は、後述するようにニードル５６の通し穴として機能する（例えば図９（ｂ）参照）。また、クリップ１５は図６，７の紙面に向かって右側（Ｘの負方向の側）の列に取り付けられているが、図６，７の左側（Ｘの正方向の側）の列に取り付けられているような穴１８の位置が反転したクリップであってもよく、また、穴１８が３つ以上形成されていてもよい。
【００３０】
［係止具セット治具］
図５〜７は、係止具セット治具２０の一実施形態を示す。
本実施形態の係止具セット治具２０は、概ね水平方向（ＸＹ方向）に展開する本体部２１を有している。この本体部２１は、多数の角棒状の骨格材２２を相互に連結してなる枠形状のフレームとして構成されている。その結果、水平展開する本体部２１には、垂直方向（Ｚ方向）で見て上面側（図５参照）と下面側（図６及び図７参照）とがある。本体部２１は上述のような枠形状のフレームとして構成されているため、作業者（使用者）は目視で、本体部２１の上面側からその反対側を透かし見ることができ、よって当該本体部２１によって作業者の視界が遮られることがない。なお、本体部２１は、好ましくはエンジニアリングプラスチックで構成される。使用可能なエンジニアリングプラスチックとしては、作新工業株式会社製商品：ニューライト（登録商標）（分子量が約１００万〜７００万程度の超高分子量ポリエチレン）や、クオドラントポリペンコジャパン株式会社製商品：ＭＣナイロン（登録商標）を例示することができる。
【００３１】
図５に示すように、係止具セット治具の本体部２１の上面側には、その本体部２１の左右両側において縦方向（Ｙ方向）に沿って延びる左右一対の取っ手２３がそれぞれ設けられている。それぞれの取っ手２３は、前記骨格材２２と同様の角棒状の部材からなり、その角棒状部材を部分的に折り曲げてブリッジ状に形成されている。その結果、作業者（当該治具の使用者）は、左右の手で左右の取っ手２３をそれぞれ握ることができ、当該セット治具２０を持ち運ぶと共に自在に操作（姿勢操作）することが可能になる。
【００３２】
図６及び図７に示すように、係止具セット治具の本体部２１の下面側には、複数の係止具保持単位３０が設置されている。それぞれの係止部保持単位３０は、本体部２１の骨格材２２に対し留めネジ２４（図５，１４参照）によって固定される。係止部保持単位３０の詳細については後ほど説明する。
【００３３】
図６及び図７に示すように、係止具セット治具の本体部２１の下面側には、係止具保持単位３０の他に位置決めガイド機構２５（本例では４つ）が設けられている。この位置決めガイド機構２５は、係止具セット治具２０を成形型１０に対して大まかに位置決めするための機構または誘導補助装置であり、図８にその主要部を拡大して示す。図８に示すように、位置決めガイド機構２５は、係止具セット治具の本体部２１に対して略垂直方向に延びるガイドシャフト２６を有し、そのガイドシャフト２６の先端には略「コ」字型の先端係合部２６ａが設けられている。ガイドシャフト２６は、本体部２１に対し略垂直方向に変位可能に取り付けられ、更に当該ガイドシャフトに巻回されたコイルバネ２７（図８では図示略、図１４〜１６参照）によって垂直方向下向きに付勢されている。但し、バネ付勢によるガイドシャフト２６の下向き変位（下側への最大突出量）は、ガイドシャフト２６の後端に設けられた後端規制部２６ｂ（図１４等参照）によって規制されている。
【００３４】
［係止具保持単位］
図９〜図１３は、係止具保持単位３０の一典型例を示す。尚、それぞれの係止具保持単位３０は、係止具セット治具の本体部２１上の取付け位置に応じて多少異なった形状を有するが（例えば、保持部５０の底壁部５１が成形型の突条部１１（又は被係止部１２）の上面に対応して傾斜するなどの形状）、基本的にはここで説明する典型例と同一又は類似の形態をなす。
【００３５】
図９及び図１０に示すように、係止具保持単位３０は、これらの図面で見て相対的に下側に位置する固定部４０と、上側に位置する保持部５０とを有する。係止具保持単位３０はまた、保持部５０に装着される弾性体６０を有している。固定部４０は、係止具保持単位３０を係止具セット治具の本体部２１に固定するための部位である。保持部５０は、係止具としてのクリップ１５を一時的に保持（仮保持）するための部位である。各係止具保持単位３０にあっては、固定部４０に対し保持部５０が略垂直方向のみならず水平方向へも変位可能に連結され、固定部４０に対する保持部５０の可動性が確保されている。その結果、各保持部５０は、係止具セット治具の本体部２１に対しても少なくとも略垂直方向に変位可能となっている。垂直及び水平方向への変位可能性を担保する具体的な構造の詳細については後ほど説明する。
【００３６】
尚、係止具保持単位３０の固定部４０及び保持部５０は、好ましくは樹脂素材（例えばＡＢＳ樹脂）で構成される。これらをＡＢＳ樹脂で構成した場合、係止具保持単位３０を軽量化でき、作業者の操作負担を軽減できる。但し、これらを樹脂素材に代えて金属で構成することもでき、その場合には係止具保持単位３０の耐久性が高められる。
【００３７】
図９，１０，１１，１３に示すように、係止具保持単位の固定部４０は概ね直方体形状をなし、その底面側（係止具セット治具の本体部２１に嵌合する側）には、前記本体部２１の骨格材２２と嵌合可能な溝状の取付け凹部４１が形成されている。固定部４０の中心には、垂直方向に延びるボルト通し孔４２が貫通形成され、そのボルト通し孔４２を取り囲むように４つのバネ収容凹部４３が設けられている。各バネ収容凹部４３は有底円筒状であり、固定部４０の上面側に開口する（図１１（ａ）参照）。また、固定部４０には、ボルト通し孔４２を間に挟んで一対の雌ねじ部４４が設けられている（図１１（ｃ）参照）。これらの雌ねじ部４４は、前述の留めネジ２４（図５，１４参照）に対応する。
【００３８】
図９，１０，１２，１３に示すように、係止具保持単位の保持部５０は、底壁部５１とその左右両側に立設された一対の立壁部５２とを有する構造体であり、正面から見て略「凹」字状をなす（図１２（ｂ）参照）。相対向する一対の立壁部５２の間は、弾性体６０及びクリップ１５の収納・保持領域を提供する。保持部の底壁部５１の中心には、固定部中央のボルト通し孔４２と符合するボルト通し孔５３が貫通形成されている（図１２（ｃ）等参照）。また、底壁部５１の内部には、図１０に示す連結ボルト３１の雄ねじに対応する雌ねじを持ったナット体５４（図１３に仮想線で示す）が埋設されている。
【００３９】
保持部の底壁部５１には、ボルト通し孔５３を取り囲むように４つのバネ収容凹部５５が設けられている。これらのバネ収容凹部５５は有底円筒状であり保持部５０の下面側に開口すると共に（図１２（ｃ）参照）、それぞれが固定部４０の４つのバネ収容凹部４３と対応している。すなわち図１０に示すように、相対的に下側の４つのバネ収容凹部４３と、相対的に上側の４つのバネ収容凹部５５との間には、４つのコイルバネ４６が配設され、組立時には個々のコイルバネ４６は、それぞれ対応する下側及び上側のバネ収容凹部４３，５５内に収容配置される。
【００４０】
図１０，１２，１３に示すように、保持部５０の底壁部５１の上面（載置面）上には、突起としての一対のニードル５６と、一対の弾性突出片５７とが設けられている。図１２（ａ）の平面視からわかるように、対をなす２つのニードル５６および対をなす２つの弾性突出片５７は、底壁部５１の長方形状の上面にあって、一つの対角線に沿って対角関係にある二つの隅部に配置されている。それぞれの隅部においては、ニードル５６が相対的に内側に位置し、弾性突出片５７が相対的に外側（直近の立壁部５２に近い側）に位置している。
【００４１】
ニードル５６は、底壁部５１の上面から垂直に突設された金属製の刺し針状または串状の部材であり、その先端（上端）は先細り形状となっている。ニードル５６は、弾性体６０を貫通して当該弾性体６０を底壁部５１の上面（載置面）に位置決めすると共に、クリップ１５の穴１８を貫通してクリップ１５を位置決めするためのものである（図９（ａ），図１３参照）。なお、本例では、ニードル５６の先端が先細り形状であるために弾性体６０を突き刺し易く、クリップの穴１８に挿入し易くなっているが、ニードル５６の先端が先細り形状であることは必須ではなく、例えば平坦な先端であってもよい。
【００４２】
弾性突出片５７は、底壁部５１の上面から垂直に突設された金属製の板バネ材であり、その先端部（上端部）は屈曲形成されて先端係合部５７ａとなっている。板バネ材としての弾性突出片５７は横方向（直近の立壁部５２に接近・離間する方向）に弾性変位可能である。一対の弾性突出片５７は、それぞれの先端係合部５７ａと弾性体６０の上面との間にクリップ１５を挟みつけて、当該クリップ１５を弾性体６０上に一時的に保持（仮保持）する働きをする（図９（ｂ），図１３参照）。
【００４３】
弾性体６０は、弾性素材からなる略直方体状の部材であり、クリップ１５を載置するためのベッド（置き台）として機能する。使用可能な弾性素材としては、例えば発泡ポリウレタンがあげられる。図９（ａ）に示すように、弾性体６０の４つの隅部のうちの対角関係にある２つの隅部を前記２つのニードル５６に対し突き刺すことで、保持部５０の底壁部５１の上面上の所定位置に弾性体６０が位置決めされる。なお、図１３に示すように、底壁部５１上に定置された弾性体６０の上面と、弾性突出片の先端係合部５７ａとの間には、クリップ１５の基部１６が弾性挟着される。弾性体６０上にクリップ１５を載置したとき、弾性体６０は、その弾性作用に基づいてクリップ１５を略垂直方向に若干変位可能な状態で保持することになる。
【００４４】
図１０を参照しつつ係止具保持単位３０の組立てについて説明する。弾性体６０が取り付けられた保持部５０と固定部４０とは、両者間に４つのコイルバネ４６を介在させた状態で上下に並べて連結される。コイルバネ４６の各々は、その両端を固定部４０の対応するバネ収容凹部４３と、保持部５０の対応するバネ収容凹部５５に挿入した状態で両部４０，５０間に介在される。また、固定部４０のボルト通し孔４２には、その下側からワッシャー３２付きの連結ボルト３１が挿通され、当該連結ボルト３１の雄ねじ部が保持部５０内のナット体５４に螺着されることで固定部４０と保持部５０とが一体化される。但し図１３に示すように、連結ボルト３１で一体化した後においても、４つのコイルバネ４６によって保持部５０は固定部４０に対して若干浮上した状態で支持され、両部４０，５０間には多少の隙間（即ち、保持部５０の垂直／水平方向への弾性変位を可能にするための遊び）が確保されている。固定部４０と保持部５０とをこれらの間に４つのコイルバネ４６を介在させて連結することで、固定部４０に対する保持部５０の略垂直方向への変位可能性および水平方向への変位可能性が確保される。なお、ナット体５４に対する連結ボルト３１の締め具合（即ち螺着位置）を加減することで、固定部４０に対する保持部５０の最大変位量を調節することができる。
【００４５】
それぞれに組み立てられた複数の係止具保持単位３０は、図５，６及び７に示すように係止具セット治具２０の本体部２１を構成する複数の骨格材２２の所定位置に固定される。各係止具保持単位３０の固定は、骨格材２２に装着された２本の留めネジ２４を各係止具保持単位の固定部４０の雌ねじ部４４に螺着することで完了する。かくして、複数の係止具保持単位３０を具備した係止具セット治具２０が完成する。なお、係止具セット治具の本体部２１に対する係止具保持単位３０の取付け個数や配置パターンは、成形型１０で成形されるべき発泡成形品において必要なクリップ１５の個数や配置パターンに応じて適宜設定される。また、係止具セット治具に予め最大数の係止具保持単位３０を取り付けておいてもよい。この場合、必要な位置にある係止具保持単位３０にだけクリップ１５をセットするようにすれば、係止具保持単位３０の数や位置をその都度変更することなく、一つの係止具セット治具でクリップ１５の個数や配置パターンが異なる複数の種類の発泡成形品を製造することができる。
【００４６】
［係止具セット治具２０を用いた発泡成形品の製造］
本発明の係止具セット治具２０は、クリップ１５を具備した発泡成形品の製造に使用される。発泡成形品の製造方法（製造手順）の一例を以下に説明する。尚、事前の準備として、図１及び図２に示すような、クリップ１５を係合可能な被係止部１２をフランジ１１の複数箇所に有してなる成形型１０を用意する。
【００４７】
先ず、係止具セット治具２０に係止具としてのクリップ１５を保持させる。具体的には図９及び図１３に示すように、各係止具保持単位３０の保持部５０の２つのニードル５６に対して、クリップ１５の２つの穴１８（図４参照）を通す。２つのニードル５６に対して２つの穴１８を対応させることで、弾性体６０（ひいては弾性体６０が固定されている保持部５０）に対してクリップ１５が水平方向に概ね位置決めされる。２つの弾性突出片５７を各々の弾性に抗して互いに遠ざかる方向に押し広げることで、クリップ１５が弾性体６０の上面に当接（又は到達）する。その後、２つの弾性突出片５７の押し広げを解除することで、クリップ１５の基部１６が各弾性突出片の先端係合部５７ａと弾性体６０の上面との間に挟着され、クリップ１５の係止具保持単位３０への仮保持が完了する（図９（ｂ）参照）。このようにして、係止具セット治具２０の全ての係止具保持単位３０に対してクリップ１５を取り付ける。なお、上述のクリップ１５の取付けは、作業者が手作業で行うことができるが、手作業ではなく、プログラム制御された作業ロボットを用いた自動取付けによってもよい。
【００４８】
次に、クリップ１５を保持した係止具セット治具２０を成形型１０に押し付けて、成形型１０の全ての被係止部１２にクリップ１５をそれぞれセットする。具体的には図１４〜１６に示すような一連の手順を経る。即ち図１４に示すように、係止具セット治具２０の各位置決めガイド機構２５が成形型１０の対応するフランジ１１と向き合うように、係止具セット治具２０を成形型１０に対して対向配置（対面配置）する。この時点では図１４で見て、ガイドシャフトの先端係合部２６ａは係止具保持単位３０の下端よりも更に下方に（成形型１０に向けて）突出している。続いて、係止具セット治具２０を成形型１０に接近させ、図１５に示すように、ガイドシャフトの先端係合部２６ａを成形型のフランジ１１に嵌合させる。この嵌合により、成形型１０に対する係止具セット治具２０の大まかな位置決めが完了する。
【００４９】
続いて図１６に示すように、位置決めガイド機構２５のコイルバネ２７の付勢力に抗して係止具セット治具２０を成形型１０に更に接近させ、それぞれの係止具保持単位３０に保持されたクリップ１５を、各々対応する被係止部１２に対して強く押し付ける。すると、図４（ｃ）に示すように、各クリップ１５の係止脚１７の先端が被係止部１２の係合凹部１３内に進入すると共に、相対向する一対の係止脚１７間に被係止部１２が挟着される。かくして被係止部１２とクリップ１５とが連結され、被係止部１２に対しクリップ１５がセットされる。
【００５０】
なお、上記の押し付けに際して、作業者（使用者）によって係止具セット治具２０を成形型１０に押し付ける力にばらつきがあったり、当該治具２０が成形型１０に対して、理想の対向配置状態からやや斜めに傾いた状態で押し付けられたりすることがある。このような非理想的な使用状況にあっても、各係止具保持単位３０の保持部５０に設けられた弾性体６０の作用により当該弾性体に載置された各クリップ１５が係止具セット治具の本体部２１に対して略垂直方向に変位可能となっており、且つ、各係止具保持単位３０の保持部５０が係止具セット治具の本体部２１に対して略垂直方向に変位可能に構成されているため、押し付け力のばらつきや成形型１０に対する係止具セット治具２０の傾きを吸収または緩和して、各クリップ１５を成形型１０に安定的にセットすることができる。また、各保持部５０は、略垂直方向のみならず水平方向（ＸＹ方向）へも変位可能であることで、当該治具が成形型に対して理想の対向配置状態から水平方向（ＸＹ方向）に若干の位置ずれを生じていても、その位置ずれを吸収または緩和することができる。従って例えば、係止具セット治具２０や成形型１０の製作時の寸法誤差等により、係止具セット治具２０の形状が成形型１０の形状（特にフランジ１１の配列形状）に理想的に合致していないことがあったとしても、係止具保持単位３０毎に保持部５０が固定部４０に対して変位可能であるため、治具や成形型の製作上の誤差等を事実上帳消しにすることができる。
【００５１】
図１６のセット完了後、成形型１０から係止具セット治具２０を離間させる（つまり取り除く）。すると、当該治具２０の各保持部５０からクリップ１５が離脱すると共に、各クリップ１５が成形型の被係止部１２上に残される。これはひとえに、被係止部１２とクリップ１５との係合力の方が、弾性突出片５７によるクリップ１５の保持力よりも強いからである。
【００５２】
成形型１０から係止具セット治具２０を取り除いた後に、常法に従い前記成形型１０に発泡性原料（例えばポリウレタン）を注入し発泡させることにより、クリップ１５を一体的に具備してなる発泡成形品を成形することができる。
【００５３】
以上のように本実施形態によれば、係止具セット治具２０を用いて、係止具としてのクリップ１５を成形型１０の各箇所に設けられた被係止部１２に対し安定的且つ効率的にセットすることができる。従って、クリップを一体的に具備してなる発泡成形品を効率的に製造することができる。
【００５４】
［変更例］
上記の実施形態では、保持部５０の底壁部５１上に２つの弾性突出片５７を設けたが、弾性突出片５７の数は３つ又は４つであってもよい。また、図１２（ａ）では、２つの弾性突出片５７を、底壁部５１の長方形上面の一つの対角線に沿った対角位置にある二つの隅部に配置したが、これに代えて当該長方形上面の短辺に沿った対向位置にある二つの隅部に配置してもよい。
【００５５】
上記の実施形態では、保持部５０の底壁部５１上の２つの弾性突出片５７でクリップ１５を（仮）保持したが、弾性突出片５７の代わりに両面粘着テープや接着剤を用いて、クリップ１５の基部１６を弾性体６０の上面に（仮）接着するようにしてもよい。
【００５６】
係止具セット治具２０の本体部２１を構成する複数の骨格材２２にあって、少なくとも２本の骨格材２２が交差する部位に対して、前述の取っ手２３や係止具保持単位３０を固定するようにしてもよい。骨格材２２が交差する部位は、骨格材２２が単体で存在する部位に比べて剛性が高いため、治具２０を成形型１０に押し付ける際の押圧力を効果的に作用させることができる。
【符号の説明】
【００５７】
１０  成形型
１２  被係止部
１５  クリップ（係止具）
２０  係止具セット治具
２１  係止具セット治具の本体部（又はフレーム）
２２  骨格材
２３  取っ手
２５  位置決めガイド機構
３０  係止具保持単位
４０  係止具保持単位の固定部
４６  （４つの）コイルバネ
５０  係止具保持単位の保持部
５６  ニードル（突起）
５７  弾性突出片
６０  弾性体
【図１】
2020116895.tif 000003
【図２】
2020116895.tif 000004
【図３】
2020116895.tif 000005
【図４】
2020116895.tif 000006
【図５】
2020116895.tif 000007
【図６】
2020116895.tif 000008
【図７】
2020116895.tif 000009
【図８】
2020116895.tif 000010
【図９】
2020116895.tif 000011
【図１０】
2020116895.tif 000012
【図１１】
2020116895.tif 000013
【図１２】
2020116895.tif 000014
【図１３】
2020116895.tif 000015
【図１４】
2020116895.tif 000016
【図１５】
2020116895.tif 000017
【図１６】
2020116895.tif 000018